(57)【要約】【課題】最近試作に成功した可視光を通過する透明太陽電池を利用して表示面積と同じ広い発電面積を取れる構造の太陽光発電表示装置を提供する。【解決手段】  透明太陽光発電シート１、表示パネル２、蓄電池ユニット４をそれぞれ可撓性のあるフィルム状あるいはカード状の弾性材料で形成し、透明太陽光発電シート１を表面の第一層に配置してその下に表示パネル２、蓄電池ユニット４を順に積層する。表示パネル２にはそれと同じ基板上に制御回路モジュール３が組み込まれている。【選択図】図２
2014048641.tif 000002
【特許請求の範囲】
【請求項１】
フィルム状の可撓性材料で形成した透明太陽光発電シート、制御回路モジュールを有する表示パネル、及び蓄電池ユニットを、
表面側から透明太陽光発電シート、表示パネル、蓄電池ユニットの順で積層し、
上記透明太陽光発電シートが可視光を通過させながら発電した電力を、蓄電池ユニットに貯えて、これを表示パネル及び制御回路モジュールの動作電源の一部に利用することを特徴とする太陽光発電表示装置。
【請求項２】
前記表示パネルにタッチセンサを付設してタッチパネルを形成してなる請求項１記載の太陽光発電表示装置。
【請求項３】
前記表示パネルに制御回路モジュールとアンテナを一体に接続してワイヤレスでのデータ通信を可能にしてなる請求項１記載の太陽光発電表示装置。
【請求項４】
前記表示パネルを有機ＥＬディスプレイとする請求項１記載の太陽光発電表示装置。
【発明の詳細な説明】
【技術分野】
【０００１】
本発明は、フィルム状の透明太陽光発電シート（シースルーソーラーシート）を液晶や有機ＥＬなどの表示パネルの上に一体に積層して構成した太陽電池を電源とする太陽光発電表示装置に関する。
【背景技術】
【０００２】
従来のスマートフォンなどの情報機器は、電池容量に制限があるため１回の充電で使用できる時間が少なく、頻繁に充電する必要がある。一方、太陽電池は光エネルギーを直接電力に変換するので、これを補助電源とすれば、頻繁に充電する必要がなくなる。
しかしながら、一般に太陽電池は光エネルギーの変換効率が低く、広い発電面積を必要とする。そのため従来の情報機器では構造上、そのような広い発電面積を確保することができないという問題があった。
【０００３】
この問題を解決するために、本出願人は特許文献１に示すように、液晶パネルの下に太陽電池ユニットを積層して液晶パネルを通過した外光が太陽電池ユニットに届くようにして発電した電力を、液晶パネル及び制御回路モジュールの動作電源にする太陽光発電液晶ディスプレイを出願し、既に特許登録している。これにより液晶パネルの表示面積と同じ広い発電面積を確保することが可能になった。
【０００４】
ところがこの太陽光発電液晶ディスプレイは、反射型の液晶ディスプレイを前提とし、上から当たった光が液晶を通過して底面の半透明反射シートで反射し、その反射光を利用して表示が目えるようにする。また、上から当たった光が液晶と半透明反射シートを通過して底面に敷き詰めた太陽電池ユニットに届くようする。そのため反射型でないバックライトを光源とする液晶や有機ＥＬなどには適用できず、バックライトや発光パネルが邪魔になって、上から当たった光が底面に敷き詰めた太陽電池ユニットに届かないという問題があった。
【先行技術文献】
【特許文献】
【０００５】
【特許文献１】特許第３８１８９００号
【発明の開示】
【発明が解決しようとする課題】
【０００６】
そこで本発明は、最近試作に成功した可視光を通過する透明太陽電池を利用して表示面積と同じ広い発電面積を取れる構造の太陽光発電表示装置を提供することを目的になされたものである。
【課題を解決するための手段】
【０００７】
かかる目的を達成するために、本発明は以下のように構成した。
【０００８】
すなわち、請求項１の発明は、フィルム状の可撓性材料で形成した透明太陽光発電シート、制御回路モジュールを有する表示パネル、及び蓄電池ユニットを、
表面側から透明太陽光発電シート、表示パネル、蓄電池ユニットの順で積層し、
上記透明太陽光発電シートが可視光を通過させながら発電した電力を、蓄電池ユニットに貯えて、これを表示パネル及び制御回路モジュールの動作電源の一部に利用することを特徴とする太陽光発電表示装置である。
請求項２の発明は、前記表示パネルにタッチセンサを付設してタッチパネルを形成してなる請求項１記載の太陽光発電表示装置である。
請求項３の発明は、前記表示パネルに制御回路モジュールとアンテナを一体に接続してワイヤレスでのデータ通信を可能にしてなる請求項１記載の太陽光発電表示装置である。
請求項４の発明は、前記表示パネルを有機ＥＬディスプレイとする請求項１記載の太陽光発電表示装置である。
【発明の効果】
【０００９】
以上説明したように、本発明の太陽光発電表示装置は、フィルム状の透明太陽光発電シートと表示パネルを一体に積層し、この透明太陽光発電シートが発電した電力を動作電源に利用する。
従って、本発明によれば、表示パネルと同じ大きさの広い発電面積が得られる。このため、従来の情報機器や入力装置の外観上の構造を変更しなくても必要な電力が確保でき、その電力で蓄電池ユニットを充電するので、蓄電池ユニットの使用時間が延びて充電頻度が低減する。このことから長時間のモバイルコンピューティングやデータ入力が可能となり、これら情報機器の使い勝手が格段に向上するという効果が期待できる。
【図面の簡単な説明】
【００１０】
【図１】本発明を実施した太陽光発電表示装置のブロック図である。
【図２】本発明を実施した太陽光発電表示装置の分解斜視図である。
【発明を実施するための形態】
【００１１】
以下に図面を参照して、本発明の実施の形態について説明する。
【００１２】
図１に、本発明を実施した太陽光発電表示装置のブロック図を示す。
太陽光発電表示装置は、透明太陽光発電シート１と、制御回路モジュール３を同じ基板に組み込んだ表示パネル２と、蓄電池ユニット４とで構成し、透明太陽光発電シート１で発電した電力をいったん蓄電池ユニット４に蓄えて、その電力を表示パネル２と制御回路モジュール３に供給する。制御回路モジュール３は、表示パネル２とは別の基板に組み込んでもよい。
【００１３】
図２に、本発明を実施した太陽光発電表示装置の分解斜視図を示す。
太陽光発電表示装置は、透明太陽光発電シート１、表示パネル２、蓄電池ユニット４をそれぞれ可撓性のあるフィルム状あるいはカード状の弾性材料で形成し、透明太陽光発電シート１を表面の第一層に配置してその下に表示パネル２、蓄電池ユニット４を順に積層する。表示パネル２にはそれと同じ基板上に制御回路モジュール３が組み込まれている。
【００１４】
透明太陽光発電シート１は、バンドギャップの大きな透明半導体を利用することで紫外光により発電し、可視光をそのまま透過させる。半導体太陽電池のためには半導体ｐｎ接合の形成が必要になるが、透明な半導体薄膜を形成するためのｎ型材料としては酸化亜鉛（ＺｎＯ）、酸化錫（ＳｎＯ２）など、ｐ型材料としては銅アルミ酸化物（ＣｕＡｌＯ２）、銅ガリウム酸化物（ＣｕＧａＯ２）などがある。
【００１５】
表示パネル２は、有機ＥＬディスプレイで構成し、ガラス基板でなくポリマーフィルムなどのプラスチックを基板とする。そのため耐衝撃性に優れ、曲面で使用したり、折り曲げ可能になる。また自発光のためバックライトや放電スペースが不要になり、非常に軽くて薄い構造となる。
【００１６】
表示パネル２は、また、透明太陽光発電シート１の上面に透明電極をコーティングしてタッチパネルａを形成し、データ入力可能に構成する。
これにより、携帯情報端末の表示装置やキーボードの代わりとなる入力装置などに使用できるようにする。
【００１７】
制御回路モジュール３は、ＩＣチップ３１を直接表示パネル２の基板に埋め込んで（Ｃｈｉｐ  Ｏｎ  Ｂｏａｒｄ）表示パネル２の表示と各種アプリケーションの実行を制御する。また、必要に応じてループアンテナ３２を接続し、ワイヤレスのデータ通信を可能にする。これにより、パソコンなどの入力装置をワイヤレス化できるようにする。また、ＩＣチップ３１を交換することにより、太陽光発電表示装置をテレビ、文字ラジオ、電子手帳、ゲーム機、電子アルバムなどさまざまな表示装置に適用することができる。
【００１８】
蓄電池ユニット４は、厚さが１ｍｍ前後のペーパー電池やフィルム電池などを使用する。これにより、透明太陽光発電シート１が発電した電力をいったん蓄え、太陽電池が作動しない明るさになっても蓄電池ユニット４から電力を供給して使えるようにする。
【符号の説明】
【００１９】
１  透明太陽光発電シート
２  表示パネル
３  制御回路モジュール
３１  ＩＣチップ
３２  ループアンテナ
４  蓄電池ユニット
ａ  タッチパネル
【図１】
2014048641.tif 000003
【図２】
2014048641.tif 000004